(57)【特許請求の範囲】
【請求項１】
型枠内に配設された任意に湾曲可能な可撓性筒状部材の少なくとも一方の端部を、前記型枠の壁面に固定した後に、前記型枠内に、コンクリートを打設して前記可撓性筒状部材とともに固化させることにより、内部に、湾曲した空洞部を形成することを特徴とする生態系保全用根固ブロックの製造方法。
【請求項２】
前記可撓性筒状部材の両端部を前記型枠の壁面に固定するとともに、前記可撓性筒状部材を、前記型枠との固定部間を結ぶ最短距離よりも長く形成しておき、前記型枠内にコンクリートを打設して前記可撓性筒状部材とともに固化させることにより、内部に、湾曲しかつ両端が開口された貫通した空洞部を形成することを特徴とする請求項１に記載の生態系保全用根固ブロックの製造方法。
【請求項３】
前記型枠内に、湾曲可能な芯材を取り付けておき、この芯材を所定の形状に湾曲させた後に、この芯材を覆うようにして前記可撓性筒状部材を配設して空洞部の形状を設定した後に、前記型枠内にコンクリートを打設して前記可撓性筒状部材とともに固化させることを特徴とする請求項１または請求項２に記載の生態系保全用根固ブロックの製造方法。
【請求項４】
前記型枠の、前記可撓性筒状部材の固定部に、この可撓性筒状部材の端部が嵌合させられる固定部材を設けておき、この固定部材によって、コンクリート打設時の前記可撓性筒状部材の端部の位置決めを行うとともに、前記可撓性筒状部材の端部を閉塞して、コンクリート打設後の開口部を形成することを特徴とする請求項１ないし請求項３の何れかに記載の生態系保全用根固ブロックの製造方法。
【請求項５】
前記可撓性筒状部材の少なくとも一方の端部を、前記型枠の壁面を貫通して取り付けておき、前記型枠内にコンクリートを打設して前記可撓性筒状部材とともに固化させることにより、前記可撓性筒状部材の端部を表面から突出させることを特徴とする請求項１ないし請求項３の何れかに記載の生態系保全用根固ブロックの製造方法。
【請求項６】
請求項１ないし請求項５の何れかに記載の製造方法によって形成されていることを特徴とする生態系保全用根固ブロック。
【請求項７】
請求項６に記載の生態系保全用根固ブロックの複数を敷設した際に、隣接する生態系保全用根固ブロックに形成されている空洞部が相互に連通させられるようになされていることを特徴とする生態系保全用根固ブロック。
【発明の詳細な説明】
【０００１】
【発明の属する技術分野】
本発明は、特に河川等における根固工として用いられる生態系保全用根固ブロックに関するものである。
【０００２】
【従来の技術】
従来、河川にあっては、洪水被害の軽減や防止等の治水上の観点から、護岸の前面部の洗堀防止等を目的として根固工を敷設することが行われている。
そして、このような根固工は、通常平板状のコンクリートブロックからなる根固ブロックによって行われている。
【０００３】
【発明が解決しようとする課題】
ところで、このような平板状のコンクリートブロックを用いた従来の根固ブロックにあっては、強度的には十分な効果が期待できるものの、川底が規則的に平板状に覆われてしまう。
【０００４】
ここで、川には、種々の魚類や底生生物が生息しており、特に、川底に生息するウナギ等のいわゆる底生生物は、川底の暗部に好んで生息する習性があり、このような底生生物にとっては、前述した従来の平板状の根固ブロックによって構築された根固工は、生息空間が少ないことから不適当である。
また、他の魚類にあっては、洪水等による増水時に、流れを回避するために、川底の凹部によって形成される淀みに待避するが、前述した従来の根固工にあっては、このような魚類の待避場所が確保できない。
【０００５】
特に、近年、河川の自然環境を保全し、河川に生息する動植物のことを考慮した生態系重視の根固工の構築が要望されており、このような要望に対して、前述したコンクリートを用いた根固ブロックでは対応できない。
【０００６】
本発明は、このような従来の問題点に鑑みてなされたもので、特に、底生生物の生息環境を容易に確保することのできる生態系保全用根固ブロックおよびその製造方法を提供することを目的とする。
【０００７】
【課題を解決するための手段】
本発明の請求項１に記載の生態系保全用根固ブロックの製造方法は、前述した目的を達成するために、型枠内に配設された任意に湾曲可能な可撓性筒状部材の少なくとも一方の端部を、前記型枠の壁面に固定した後に、前記型枠内に、コンクリートを打設して前記可撓性筒状部材とともに固化させることにより、内部に、湾曲した空洞部を形成することを特徴とする。
本発明の請求項２に記載の生態系保全用根固ブロックの製造方法は、請求項１に記載の前記可撓性筒状部材の両端部を前記型枠の壁面に固定するとともに、前記可撓性筒状部材を、前記型枠との固定部間を結ぶ最短距離よりも長く形成しておき、前記型枠内にコンクリートを打設して前記可撓性筒状部材とともに固化させることにより、内部に、湾曲しかつ両端が開口された貫通した空洞部を形成することを特徴とする。
本発明の請求項３に記載の生態系保全用根固ブロックの製造方法は、請求項１または請求項２に記載の前記型枠内に、湾曲可能な芯材を取り付けておき、この芯材を所定の形状に湾曲させた後に、この芯材を覆うようにして前記可撓性筒状部材を配設して空洞部の形状を設定した後に、前記型枠内にコンクリートを打設して前記可撓性筒状部材とともに固化させることを特徴とする。
本発明の請求項４に記載の生態系保全用根固ブロックの製造方法は、請求項１ないし請求項３の何れかに記載の前記型枠の、前記可撓性筒状部材の固定部に、この可撓性筒状部材の端部が嵌合させられる固定部材を設けておき、この固定部材によって、コンクリート打設時の前記可撓性筒状部材の端部の位置決めを行うとともに、前記可撓性筒状部材の端部を閉塞して、コンクリート打設後の開口部を形成することを特徴とする。
本発明の請求項５に記載の生態系保全用根固ブロックの製造方法は、請求項１ないし請求項３の何れかに記載の前記可撓性筒状部材の少なくとも一方の端部を、前記型枠の壁面を貫通して取り付けておき、前記型枠内にコンクリートを打設して前記可撓性筒状部材とともに固化させることにより、前記可撓性筒状部材の端部を表面から突出させることを特徴とする。
本発明の請求項６に記載の生態系保全用根固ブロックは、請求項１ないし請求項５の何れかに記載の製造方法によって形成されていることを特徴とする。
本発明の請求項７に記載の生態系保全用根固ブロックは、請求項６に記載の生態系保全用根固ブロックの複数を敷設した際に、隣接する生態系保全用根固ブロックに形成されている空洞部が相互に連通させられるようになされていることを特徴とする。
【０００８】
【発明の実施の形態】
以下、本発明の一実施形態について、図面を参照して説明する。
図１は、本実施形態に係わる生態系保全用根固ブロック１を用いて根固工が施工された河川の要部の縦断面図であり、複数の生態系保全用根固ブロック１を、護岸２の下部先端部に、川底に沿って敷設することによって構築されている。
【０００９】
ここで、前記生態系保全用根固ブロック１の製造方法の一実施形態について説明する。
本実施形態においては、型枠３内に配設された任意に湾曲可能な可撓性筒状部材４の少なくとも一方の端部を、前記型枠３の壁面に固定した後に、前記型枠３内に、コンクリート５を打設して可撓性筒状部材４とともに固化させることにより、図３および図４に示すように、内部に、湾曲した空洞部６を形成することを特徴としている。
【００１０】
そして、本実施形態においては、図２に示すように、前記型枠３内に、湾曲可能な芯材７を取り付けておき、この芯材７を所定の形状に湾曲させた後に、この芯材７を覆うようにして前記可撓性筒状部材４を配設して、前記空洞部６の形状を設定するようにしている。
【００１１】
前記可撓性筒状部材４は、湾曲可能なプラスチックや軟質塩化ビニル、紙等からなる可撓管が用いられ、これらによって形成される空洞部６の一端部が、形成される前記生態系保全用根固ブロック１の内部に位置させられる場合にあっては、前記可撓性筒状部材４の一端部が閉塞された形状となされ、かつ、他端部が、前記型枠３の壁面に当接固定されることによって、この壁面によって閉塞されている。
また、形成される前記空洞部６の両端部が、前記生態系保全用根固ブロック１の表面に開口させられる場合にあっては、前記可撓性筒状部材４の両端部が、前記型枠３の壁面にそれぞれ当接固定されることによって閉塞されている。
【００１２】
また、前記芯材７は、たとえば、鉄筋やピアノ線等の湾曲可能な線材が用いられ、形成すべき空洞部６の形状に大まかに沿うように湾曲させられるとともに、前記可撓性筒状部材４を湾曲した状態に保持するようになっている。
【００１３】
さらに、本実施形態においては、前記型枠３の底部に、形成される生態系保全用根固ブロック１の外形形状を、自然石の形状に近似させるべく、樹脂等からなるバックアップ材８が装着されており、前記コンクリート５の固化後に前記型枠３を取り外す際に、前記バックアップ材８が、前記型枠３とともに取り外されるようになっている。
【００１４】
このように、前記バックアップ材８が取り付けられた型枠３内に、芯材７および可撓性筒状部材４を取り付け、ついで、前記型枠３の空間部にコンクリート５を打設して固化させた後に、型枠３を取り外すことによって、図３および図４に示すような生態系保全用根固ブロック１を形成することができる。
【００１５】
このようにして、内部に、外面に開口部６ａを有する空洞部６が多数形成された生態系保全用根固ブロック１が得られる。
【００１６】
この生態系保全用根固ブロック１は、たとえば、図５に示すように、貫通状態で形成された前記空洞部６に吊り上げ用のワイヤ９を挿通して、このワイヤ９を介してクレーンによって吊り上げることにより、川底の所定位置に順次設置することにより、図１に示すような根固工が構築される。
【００１７】
このようにして構築された根固工は、各生態系保全用根固ブロック１のそれぞれに外部へ開口する開口部６ａを有する空洞部６が形成されていることにより、川底近傍に、水中に連続もしくは閉塞された空間部が多数形成される。
これによって、水の流れが遅く、また、暗所となる領域が形成され、ウナギ等の底生生物の生息に適した領域が容易に得られる。
【００１８】
そして、本実施形態においては、前記生態系保全用根固ブロック１の外形形状を自然石に近い形状としたことにより、これらを敷設して根固工を構築した状態において、生態系保全用根固ブロック１の上面形状が不規則になり、川底が凹凸形状となされる。
これによって、川底近傍の水の流れに緩急が生じて淀みが形成され、魚類の休息ないしは待避場所となる。
また、冠水を繰り返すことによって、凹部には徐々に土砂が堆積され、植生帯も形成される。
【００１９】
したがって、これらの相乗作用によって、水中動物の生息に適した河岸部の環境が容易に得られる。
【００２０】
一方、図６に示すように、前記生態系保全用根固ブロック１の複数を敷設した際に、隣接する生態系保全用根固ブロック１に形成されている空洞部６が相互に連通するようにしておくことにより、敷設後において、隣接する空洞部６に連結部材１０を挿通して、この連結部材１０の各端部を、固定部材１１によって前記生態系保全用根固ブロック１に固定して、隣接する生態系保全用根固ブロック１同士を連結することが可能となる。
これによって、構築される根固工の重量を確保して、この根固工が、流れによって流出することが防止される。
【００２１】
図７ないし図１０は、本発明の他の実施形態を示す。
本実施形態は、外面に多数の係合用の凹凸部２０を有する直方体状の生態系保全用根固ブロック２１としたものである。
【００２２】
本実施形態においては、可撓性筒状部材２２の両端部を、目的とする生態系保全用根固ブロック２１の外形形状を有する型枠２３の壁面に固定するとともに、前記可撓性筒状部材２２を、前記型枠２３との固定部間を結ぶ最短距離よりも長く形成し、前記型枠２３の、前記可撓性筒状部材２２の固定部に、この可撓性筒状部材２２の端部が嵌合させられる固定部材２４を設けておき、この固定部材２４によって、コンクリート打設時の前記可撓性筒状部材２２の端部の位置決めを行うとともに、前記可撓性筒状部材２２の端部を閉塞しておく。
【００２３】
ついで、前記型枠２３内にコンクリートを打設して可撓性筒状部材４とともに固化させることによって、図８ないし図１０に示すように、表面に凹凸部２０が形成され、内部に、湾曲しかつ両端が開口された貫通した空洞部２５有する生態系保全用根固ブロック２１が得られる。
【００２４】
このような生態系保全用根固ブロック２１とすることにより、これらを敷設する際に、隣接する生態系保全用根固ブロック２１に形成されている凹凸部２０を相互に嵌合させることによって、これらを容易に強固な連結状態とすることができる。
【００２５】
さらに、図１１は、本発明の変形例を示すもので、前記可撓性筒状部材４（２２）の少なくとも一方の端部を、前記型枠３（２３）の壁面を貫通して取り付けておくことにより、前記可撓性筒状部材４（２２）の端部を、形成される生態系保全用根固ブロック１（２１）の表面から突出させたものである。
【００２６】
このような構成とすることにより、前記生態系保全用根固ブロック１（２１）の表面に、前記空洞部６（２５）に連続した突出部が形成され、この突出部によって、ウナギ等の底生生物が、前記空洞部６（２５）へ入り込み易くなるといった効果が得られる。
【００２７】
なお、前記実施形態において示した各構成部材の諸形状や寸法等は一例であって、設計要求等に基づき種々変更可能である。
たとえば、前記各実施形態において示した生態系保全用根固ブロック１（２１）の形状や、内部に形成される空洞部６（２５）の数や形状等は任意に設定可能である。
【００２８】
【発明の効果】
以上説明したように、本発明は、型枠内に配設された任意に湾曲可能な可撓性筒状部材の少なくとも一方の端部を、前記型枠の壁面に固定した後に、前記型枠内に、コンクリートを打設して前記可撓性筒状部材とともに固化させることにより、内部に、湾曲した空洞部を形成することを特徴とするもので、この生態系保全用根固ブロックを川底に敷設して根固工を構築した際に、川底近傍に、水中に連続した空間部を容易に形成することができ、これによって、河川の底生生物に好適な生息領域を形成することができる。
【図面の簡単な説明】
【図１】本発明の一実施形態によって構築された根固工を備えた河川を示す、要部の縦断面図である。
【図２】本発明の一実施形態の生態系保全用根固ブロックの製造方法を示す縦断面図である。
【図３】本発明の一実施形態によって製造された生態系保全用根固ブロックの側面図である。
【図４】本発明の一実施形態によって製造された生態系保全用根固ブロックの平面図である。
【図５】本発明の一実施形態によって製造された生態系保全用根固ブロックの敷設方法の一例を示す概略図である。
【図６】本発明の一実施形態によって製造された生態系保全用根固ブロックの連結方法の一例を示す縦断面図である。
【図７】本発明の他の実施形態の製造方法を示す平面図である。
【図８】本発明の他の実施形態によって製造された生態系保全用根固ブロックの平面図である。
【図９】本発明の他の実施形態によって製造された生態系保全用根固ブロックの側面図である。
【図１０】本発明の他の実施形態によって製造された生態系保全用根固ブロックの側面図である。
【図１１】本発明の変形例を示す生態系保全用根固ブロックの縦断面図である。
【符号の説明】
１  生態系保全用根固ブロック
２  護岸
３  型枠
４  可撓性筒状部材
５  コンクリート
６  空洞部
６ａ  開口部
７  芯材
８  バックアップ材
９  ワイヤ
１０  連結部材
１１  固定部材
２０  凹凸部
２１  生態系保全用根固ブロック
２２  可撓性筒状部材
２３  型枠
２４  固定部材
２５  空洞部
【図１】
0003658579.tif 000002
【図２】
0003658579.tif 000003
【図３】
0003658579.tif 000004
【図４】
0003658579.tif 000005
【図５】
0003658579.tif 000006
【図６】
0003658579.tif 000007
【図７】
0003658579.tif 000008
【図８】
0003658579.tif 000009
【図９】
0003658579.tif 000010
【図１０】
0003658579.tif 000011
【図１１】
0003658579.tif 000012